【手続補正書】
【提出日】平成20年11月17日(2008.11.17)
【手続補正１】
【補正対象書類名】特許請求の範囲
【補正対象項目名】請求項１
【補正方法】変更
【補正の内容】
【請求項１】
転写ベルトを備えた電子写真画像形成装置の装置本体に取り外し可能に装着されるプロセスカートリッジであって、移動部材に支持された状態で前記装置本体の外側から内側へ移動されるプロセスカートリッジにおいて、
１）電子写真感光体ドラムと、
２）前記電子写真感光体ドラムを帯電する帯電ローラと、
３）前記電子写真感光体ドラムと前記帯電ローラを支持する第一の枠体と、
４）前記電子写真感光体ドラムに形成された静電潜像を、現像剤を用いて現像する現像ローラと、
５）前記現像ローラを支持する第二の枠体であって、前記第一の枠体と回動可能に結合されている第二の枠体と、
６）前記プロセスカートリッジが前記装置本体に装着された状態で、前記装置本体から前記電子写真感光体ドラムを回転するための駆動力を受ける、前記電子写真感光体ドラムの長手方向の一端側に設けられたドラム駆動力受け部と、
７）前記プロセスカートリッジが前記装置本体に装着された状態で、前記装置本体から前記現像ローラを前記電子写真感光体ドラムとは反対方向へ回転するための駆動力を受ける、前記長手方向の一端側であって前記第二の枠体に設けられた現像ローラ駆動力受け部と、
８）前記長手方向の一端側であって前記第一の枠体に設けられた第一の被支持部であって、前記プロセスカートリッジを前記移動部材に支持するために前記移動部材に支持される第一の被支持部と、
９）前記長手方向の他端側であって前記第一の枠体に設けられた第二の被支持部であって、前記プロセスカートリッジを前記移動部材に前記第一の被支持部と協働して支持するために前記移動部材に支持される第二の被支持部と、
１０）前記長手方向の一端であって前記第一の枠体に、前記電子写真感光体ドラムと同軸線上に設けられた第一の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記装置本体に設けられた第一の本体側位置決め部に位置決めされる前記第一の被位置決め部と、
１１）前記長手方向の他端であって前記第一の枠体に、前記電子写真感光体ドラムと同軸線上に設けられた第二の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記装置本体に設けられた第二の本体側位置決め部に位置決めされる前記第二の被位置決め部と、
１２）前記プロセスカートリッジが前記装置本体に装着された状態で、前記装置本体から前記帯電ローラへ供給する帯電バイアスを受けるカートリッジ側帯電バイアス電気接点であって、前記他端側の端面から露出して設けられたカートリッジ側帯電バイアス電気接点と、
１３）前記プロセスカートリッジが前記装置本体に装着された状態で、前記装置本体から前記現像ローラへ供給する現像バイアスを受けるカートリッジ側現像バイアス電気接点であって、前記他端側の端面から露出して設けられたカートリッジ側現像バイアス電気接点と、
１４）前記第一の被位置決め部が前記第一の本体側位置決め部に位置決めされた状態で、及び、前記第二の被位置決め部が前記第二の本体側位置決め部に位置決めされた状態で、前記長手方向の他端側であって前記第一の枠体の上面に設けられた第一の被押圧部であって、前記プロセスカートリッジを前記他端側に向かって付勢して、前記プロセスカートリッジの他端側を前記装置本体に対して位置決めするために、及び、前記第二の被位置決め部を前記第二の本体側位置決め部に押圧するために、前記装置本体に設けられた第一の本体側弾性部材の弾性力を斜め上方から受ける第一の被押圧部と、
を有することを特徴とするプロセスカートリッジ。
【手続補正２】
【補正対象書類名】特許請求の範囲
【補正対象項目名】請求項６
【補正方法】変更
【補正の内容】
【請求項６】
転写ベルトを備えた電子写真画像形成装置の装置本体に取り外し可能に装着されるプロセスカートリッジであって、移動部材に支持された状態で前記装置本体の外側から内側へ移動されるプロセスカートリッジにおいて、
１）電子写真感光体ドラムと、
２）前記電子写真感光体ドラムを支持する第一の枠体と、
３）前記電子写真感光体ドラムに形成された静電潜像を、現像剤を用いて現像する現像ローラと、
４）前記現像ローラを支持する第二の枠体であって、前記第一の枠体と回動可能に結合されている第二の枠体と、
５）前記プロセスカートリッジが前記装置本体に装着された状態で、前記装置本体から前記電子写真感光体ドラムを回転するための駆動力を受ける、前記電子写真感光体ドラムの長手方向の一端側に設けられたドラム駆動力受け部と、
６）前記プロセスカートリッジが前記装置本体に装着された状態で、前記装置本体から前記現像ローラを前記電子写真感光体ドラムとは反対方向へ回転するための駆動力を受ける、前記長手方向の一端側であって前記第二の枠体に設けられた現像ローラ駆動力受け部と、
７）前記長手方向の一端側であって前記第一の枠体に設けられた第一の被支持部であって、前記プロセスカートリッジを前記移動部材に支持するために前記移動部材に支持される第一の被支持部と、
８）前記長手方向の他端側であって前記第一の枠体に設けられた第二の被支持部であって、前記プロセスカートリッジを前記移動部材に前記第一の被支持部と協働して支持するために前記移動部材に支持される第二の被支持部と、
９）前記長手方向の一端であって前記第一の枠体に、前記電子写真感光体ドラムと同軸線上に設けられた第一の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記装置本体に設けられた第一の本体側位置決め部に位置決めされる前記第一の被位置決め部と、
１０）前記長手方向の他端であって前記第一の枠体に、前記電子写真感光体ドラムと同軸線上に設けられた第二の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記装置本体に設けられた第二の本体側位置決め部に位置決めされる前記第二の被位置決め部と、
１１）前記第一の被位置決め部が前記第一の本体側位置決め部に位置決めされた状態で、及び、前記第二の被位置決め部が前記第二の本体側位置決め部に位置決めされた状態で、前記ドラム駆動力受け部及び前記現像ローラ駆動力受け部が前記装置本体から回転駆動力を受けた際に、前記プロセスカートリッジが第一の被位置決め部及び前記第二の被位置決め部を中心にして回転しようとするのを、前記移動部材と接触して規制する被回転規制部と、
を有することを特徴とするプロセスカートリッジ。
【手続補正３】
【補正対象書類名】特許請求の範囲
【補正対象項目名】請求項１０
【補正方法】変更
【補正の内容】
【請求項１０】
転写ベルトを備えたカラー電子写真画像形成装置の装置本体に取り外し可能に装着されるプロセスカートリッジであって、移動部材に支持された状態で前記装置本体の外側から内側へ移動されるプロセスカートリッジにおいて、
１）電子写真感光体ドラムと、
２）前記電子写真感光体ドラムを支持する第一の枠体と、
３）前記電子写真感光体ドラムに形成された静電潜像を、現像剤を用いて現像する現像ローラと、
４）前記現像ローラを支持する第二の枠体であって、前記第一の枠体と回動可能に結合されている第二の枠体と、
５）前記プロセスカートリッジが前記装置本体に装着された状態で、前記装置本体から前記電子写真感光体ドラムを回転するための駆動力を受ける、前記電子写真感光体ドラムの長手方向の一端側に設けられたドラム駆動力受けカップリングと、
６）前記プロセスカートリッジが前記装置本体に装着された状態で、前記装置本体から前記現像ローラを前記電子写真感光体ドラムとは反対方向へ回転するための駆動力を受ける、前記長手方向の一端側であって前記第二の枠体に設けられた現像ローラ駆動力受けカップリングと、
７）前記長手方向の一端側であって前記第一の枠体に設けられた第一の被支持部であって、前記プロセスカートリッジを前記移動部材に支持するために前記移動部材に支持される第一の被支持部と、
８）前記長手方向の他端側であって前記第一の枠体に設けられた第二の被支持部であって、前記プロセスカートリッジを前記移動部材に前記第一の被支持部と協働して支持するために前記移動部材に支持される第二の被支持部と、
９）前記長手方向の一端であって前記第一の枠体に、前記電子写真感光体ドラムと同軸線上に設けられた第一の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記装置本体に設けられた第一の本体側位置決め部に位置決めされる前記第一の被位置決め部と、
１０）前記長手方向の他端であって前記第一の枠体に、前記電子写真感光体ドラムと同軸線上に設けられた第二の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記装置本体に設けられた第二の本体側位置決め部に位置決めされる前記第二の被位置決め部と、
１１）前記第一の被位置決め部が前記第一の本体側位置決め部に位置決めされた状態で、及び、前記第二の被位置決め部が前記第二の本体側位置決め部に位置決めされた状態で、前記長手方向の他端であって前記第一の枠体の上面に設けられた第一の被押圧部であって、前記プロセスカートリッジを前記他端側に付勢して、前記プロセスカートリッジの他端側を前記装置本体に対して位置決めするために、前記装置本体に設けられた第一の本体側弾性部材の弾性力を斜め上方から受ける第一の被押圧部と、
１２）前記長手方向の一端であって前記第一の枠体の上面に設けられた第二の被押圧部であって、前記プロセスカートリッジを下方へ付勢して、前記第一の被位置決め部を前記第一の本体側位置決め部に押圧するために、前記装置本体に設けられた第二の本体側弾性部材の弾性力を垂直方向上方から受ける第二の被押圧部と、
１３）前記長手方向の一端であって前記第一の枠体に、前記長手方向の外方へ突出して設けられた突起であり、前記第一の被位置決め部が前記第一の本体側位置決め部に位置決めされた状態で、及び、前記第二の被位置決め部が前記第二の本体側位置決め部に位置決めされた状態で、前記ドラム駆動力受けカップリング及び前記現像ローラ駆動力受けカップリングが前記装置本体から回転駆動力を受けた際に、前記プロセスカートリッジが前記第一の被位置決め部及び前記第二の被位置決め部を中心にして回転しようとするのを、前記移動部材に設けられた凹部の内面と接触して規制する突起と、
１４）前記長手方向の他端であって前記第一の枠体に、前記長手方向の外方に向かって設けられた凹部であり、前記第一の被位置決め部が前記第一の本体側位置決め部に位置決めされた状態で、及び、前記第二の被位置決め部が前記第二の本体側位置決め部に位置決めされた状態で、前記ドラム駆動力受けカップリング及び前記現像ローラ駆動力受けカップリングが前記装置本体から回転駆動力を受けた際に、前記プロセスカートリッジが第一の被位置決め部及び前記第二の被位置決め部を中心にして回転しようとするのを、前記移動部材に設けられた凸部の外面と接触して規制する凹部と、
を有することを特徴とするプロセスカートリッジ。
【手続補正４】
【補正対象書類名】特許請求の範囲
【補正対象項目名】請求項１１
【補正方法】変更
【補正の内容】
【請求項１１】
プロセスカートリッジを取り外し可能に装着して、記録媒体に画像を形成する電子写真画像形成装置において、
１）前記プロセスカートリッジを複数個支持した状態で、前記電子写真画像形成装置の装置本体の内側と外側との間を直線的に移動可能な移動部材と、
２）第一の本体側位置決め部と、
３）第二の本体側位置決め部と、
４）第一の本体側弾性部材と、
５）転写ベルトと、
６）出力側帯電バイアス電気接点と、
７）出力側現像バイアス電気接点と、
８）電子写真感光体ドラムと、
前記電子写真感光体ドラムを帯電する帯電ローラと、
前記電子写真感光体ドラムと前記帯電ローラを支持する第一の枠体と、
前記電子写真感光体ドラムに形成された静電潜像を、現像剤を用いて現像する現像ローラと、
前記現像ローラを支持する第二の枠体であって、前記第一の枠体と回動可能に結合されている第二の枠体と、
前記プロセスカートリッジが前記装置本体に装着された状態で、前記装置本体から前記電子写真感光体ドラムを回転するための駆動力を受ける、前記電子写真感光体ドラムの長手方向の一端側に設けられたドラム駆動力受け部と、
前記プロセスカートリッジが前記装置本体に装着された状態で、前記装置本体から前記現像ローラを前記電子写真感光体ドラムとは反対方向へ回転するための駆動力を受ける、前記長手方向の一端側であって前記第二の枠体に設けられた現像ローラ駆動力受け部と、
前記長手方向の一端側であって前記第一の枠体に設けられた第一の被支持部であって、前記プロセスカートリッジを前記移動部材に支持するために前記移動部材に支持される第一の被支持部と、
前記長手方向の他端側であって前記第一の枠体に設けられた第二の被支持部であって、前記プロセスカートリッジを前記移動部材に前記第一の被支持部と協働して支持するために前記移動部材に支持される第二の被支持部と、
前記長手方向の一端であって前記第一の枠体に、前記電子写真感光体ドラムと同軸線上に設けられた第一の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記一の本体側位置決め部に位置決めされる前記第一の被位置決め部と、
前記長手方向の他端であって前記第一の枠体に、前記電子写真感光体ドラムと同軸線上に設けられた第二の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記第二の本体側位置決め部に位置決めされる前記第二の被位置決め部と、
前記プロセスカートリッジが前記装置本体に装着された状態で、前記装置本体から前記帯電ローラへ供給する帯電バイアスを受けるカートリッジ側帯電バイアス電気接点であって、前記他端側の端面から露出して設けられたカートリッジ側帯電バイアス電気接点と、
前記プロセスカートリッジが前記装置本体に装着された状態で、前記装置本体から前記現像ローラへ供給する現像バイアスを受けるカートリッジ側現像バイアス電気接点であって、前記他端側の端面から露出して設けられたカートリッジ側現像バイアス電気接点と、
前記第一の被位置決め部が前記第一の本体側位置決め部に位置決めされた状態で、及び、前記第二の被位置決め部が前記第二の本体側位置決め部に位置決めされた状態で、前記長手方向の他端であって前記第一の枠体の上面に設けられた第一の被押圧部であって、前記プロセスカートリッジを前記他端側に向かって付勢して、前記プロセスカートリッジの他端側を前記装置本体に対して位置決めするために、及び、前記第二の被位置決め部を前記第二の本体側位置決め部に押圧するために、前記第一の本体側弾性部材の弾性力を斜め上方から受ける第一の被押圧部と、
を有するプロセスカートリッジと、
を有することを特徴とする電子写真画像形成装置。
【手続補正５】
【補正対象書類名】特許請求の範囲
【補正対象項目名】請求項１２
【補正方法】変更
【補正の内容】
【請求項１２】
プロセスカートリッジを取り外し可能に装着されて、記録媒体に画像を形成する電子写真画像形成装置において、
１）前記プロセスカートリッジを複数個支持した状態で、前記電子写真画像形成装置の装置本体の内側と外側との間を直線的に移動可能な移動部材と、
２）第一の本体側位置決め部と、
３）第二の本体側位置決め部と、
４）転写ベルトと、
５）電子写真感光体ドラムと、
前記電子写真感光体ドラムを支持する第一の枠体と、
前記電子写真感光体ドラムに形成された静電潜像を、現像剤を用いて現像する現像ローラと、
前記現像ローラを支持する第二の枠体であって、前記第一の枠体と回動可能に結合されている第二の枠体と、
前記プロセスカートリッジが前記装置本体に装着された状態で、前記装置本体から前記電子写真感光体ドラムを回転するための駆動力を受ける、前記電子写真感光体ドラムの長手方向の一端側に設けられたドラム駆動力受け部と、
前記プロセスカートリッジが前記装置本体に装着された状態で、前記装置本体から前記現像ローラを前記電子写真感光体ドラムとは反対方向へ回転するための駆動力を受ける、前記長手方向の一端側であって前記第二の枠体に設けられた現像ローラ駆動力受け部と、
前記長手方向の一端側であって前記第一の枠体に設けられた第一の被支持部であって、前記プロセスカートリッジを前記移動部材に支持するために前記移動部材に支持される第一の被支持部と、
前記長手方向の他端側であって前記第一の枠体に設けられた第二の被支持部であって、前記プロセスカートリッジを前記移動部材に前記第一の被支持部と協働して支持するために前記移動部材に支持される第二の被支持部と、
前記長手方向の一端であって前記第一の枠体に、前記電子写真感光体ドラムと同軸線上に設けられた第一の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記第一の本体側位置決め部に位置決めされる前記第一の被位置決め部と、
前記長手方向の他端であって前記第一の枠体に、前記電子写真感光体ドラムと同軸線上に設けられた第二の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記第二の本体側位置決め部に位置決めされる前記第二の被位置決め部と、
前記第一の被位置決め部が前記第一の本体側位置決め部に位置決めされた状態で、及び、前記第二の被位置決め部が前記第二の本体側位置決め部に位置決めされた状態で、前記ドラム駆動力受け部及び前記現像ローラ駆動力受け部が前記装置本体から回転駆動力を受けた際に、前記プロセスカートリッジが第一の被位置決め部及び前記第二の被位置決め部を中心にして回転しようとするのを、前記移動部材と接触して規制する被回転規制部と、
を有するプロセスカートリッジと、
を有することを特徴とする電子写真画像形成装置。
【手続補正６】
【補正対象書類名】特許請求の範囲
【補正対象項目名】請求項１３
【補正方法】変更
【補正の内容】
【請求項１３】
プロセスカートリッジを取り外し可能に装着されて、記録媒体に画像を形成するカラー電子写真画像形成装置において、
１）前記プロセスカートリッジを複数個支持した状態で、前記電子写真画像形成装置の装置本体の内側と外側との間を直線的に移動可能な移動部材と、
２）第一の本体側位置決め部と、
３）第二の本体側位置決め部と、
４）第一の本体側弾性部材と、
５）第二の本体側弾性部材と、
６）転写ベルトと、
７）電子写真感光体ドラムと、
前記電子写真感光体ドラムを支持する第一の枠体と、
前記電子写真感光体ドラムに形成された静電潜像を、現像剤を用いて現像する現像ローラと、
前記現像ローラを支持する第二の枠体であって、前記第一の枠体と回動可能に結合されている第二の枠体と、
前記プロセスカートリッジが前記装置本体に装着された状態で、前記装置本体から前記電子写真感光体ドラムを回転するための駆動力を受ける、前記電子写真感光体ドラムの長手方向の一端側に設けられたドラム駆動力受けカップリングと、
前記プロセスカートリッジが前記装置本体に装着された状態で、前記装置本体から前記現像ローラを前記電子写真感光体ドラムとは反対方向へ回転するための駆動力を受ける、前記長手方向の一端側であって前記第二の枠体に設けられた現像ローラ駆動力受けカップリングと、
前記長手方向の一端側であって前記第一の枠体に設けられた第一の被支持部であって、前記プロセスカートリッジを前記移動部材に支持するために前記移動部材に支持される第一の被支持部と、
前記長手方向の他端側であって前記第一の枠体に設けられた第二の被支持部であって、前記プロセスカートリッジを前記移動部材に前記第一の被支持部と協働して支持するために前記移動部材に支持される第二の被支持部と、
前記長手方向の一端であって前記第一の枠体に、前記電子写真感光体ドラムと同軸線上に設けられた第一の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記第一の本体側位置決め部に位置決めされる前記第一の被位置決め部と、
前記長手方向の他端であって前記第一の枠体に、前記電子写真感光体ドラムと同軸線上に設けられた第二の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記第二の本体側位置決め部に位置決めされる前記第二の被位置決め部と、
前記第一の被位置決め部が前記第一の本体側位置決め部に位置決めされた状態で、及び、前記第二の被位置決め部が前記第二の本体側位置決め部に位置決めされた状態で、前記長手方向の他端であって前記第一の枠体の上面に設けられた第一の被押圧部であって、前記プロセスカートリッジを前記他端側に付勢して、前記プロセスカートリッジの他端側を前記装置本体に対して位置決めするために、前記第一の本体側弾性部材の弾性力を斜め上方から受ける第一の被押圧部と、
前記長手方向の一端であって前記第一の枠体の上面に設けられた第二の被押圧部であって、前記プロセスカートリッジを下方へ付勢して、前記第一の被位置決め部を前記第一の本体側位置決め部に押圧するために、前記第二の本体側弾性部材の弾性力を垂直方向上方から受ける第二の被押圧部と、
前記長手方向の一端であって前記第一の枠体に、前記長手方向の外方へ突出して設けられた突起であり、前記第一の被位置決め部が前記第一の本体側位置決め部に位置決めされた状態で、及び、前記第二の被位置決め部が前記第二の本体側位置決め部に位置決めされた状態で、前記ドラム駆動力受けカップリング及び前記現像ローラ駆動力受けカップリングが前記装置本体から回転駆動力を受けた際に、前記プロセスカートリッジが第一の被位置決め部及び前記第二の被位置決め部を中心にして回転しようとするのを、前記移動部材に設けられた凹部の内面と接触して規制する突起と、
前記長手方向の他端であって前記第一の枠体に、前記長手方向の外方に向かって設けられた凹部であり、前記第一の被位置決め部が前記第一の本体側位置決め部に位置決めされた状態で、及び、前記第二の被位置決め部が前記第二の本体側位置決め部に位置決めされた状態で、前記ドラム駆動力受けカップリング及び前記現像ローラ駆動力受けカップリングが前記装置本体から回転駆動力を受けた際に、前記プロセスカートリッジが第一の被位置決め部及び前記第二の被位置決め部を中心にして回転しようとするのを、前記移動部材に設けられた凸部の外面と接触して規制する凹部と、
を有するプロセスカートリッジと、
を有することを特徴とする電子写真画像形成装置。
【手続補正７】
【補正対象書類名】特許請求の範囲
【補正対象項目名】請求項１７
【補正方法】変更
【補正の内容】
【請求項１７】
前記プロセスカートリッジは、前記長手方向の一端であって前記第一の枠体の上面に設けられた第二の被押圧部であって、前記プロセスカートリッジを下方へ付勢して、前記第一の被位置決め部を前記第一の本体側位置決め部に押圧するために、前記装置本体に設けられた第二の本体側弾性部材の弾性力を垂直方向上方から受ける第二の被押圧部を有することを特徴とする請求項１１乃至請求項１６の何れかに記載の電子写真画像形成装置。
【手続補正８】
【補正対象書類名】明細書
【補正対象項目名】００１４
【補正方法】変更
【補正の内容】
【００１４】
（１）上記の目的を達成するための本発明に係るプロセスカートリッジの代表的な構成は、
転写ベルトを備えた電子写真画像形成装置の装置本体に取り外し可能に装着されるプロセスカートリッジであって、移動部材に支持された状態で前記装置本体の外側から内側へ移動されるプロセスカートリッジにおいて、
１）電子写真感光体ドラムと、
２）前記電子写真感光体ドラムを帯電する帯電ローラと、
３）前記電子写真感光体ドラムと前記帯電ローラを支持する第一の枠体と、
４）前記電子写真感光体ドラムに形成された静電潜像を、現像剤を用いて現像する現像ローラと、
５）前記現像ローラを支持する第二の枠体であって、前記第一の枠体と回動可能に結合されている第二の枠体と、
６）前記プロセスカートリッジが前記装置本体に装着された状態で、前記装置本体から前記電子写真感光体ドラムを回転するための駆動力を受ける、前記電子写真感光体ドラムの長手方向の一端側に設けられたドラム駆動力受け部と、
７）前記プロセスカートリッジが前記装置本体に装着された状態で、前記装置本体から前記現像ローラを前記電子写真感光体ドラムと同じ方向へ回転するための駆動力を受ける、前記長手方向の一端側であって前記第二の枠体に設けられた現像ローラ駆動力受け部と、
８）前記長手方向の一端側であって前記第一の枠体に設けられた第一の被支持部であって、前記プロセスカートリッジを前記移動部材に支持するために前記移動部材に支持される第一の被支持部と、
９）前記長手方向の他端側であって前記第一の枠体に設けられた第二の被支持部であって、前記プロセスカートリッジを前記移動部材に前記第一の被支持部と協働して支持するために前記移動部材に支持される第二の被支持部と、
１０）前記長手方向の一端であって前記第一の枠体に、前記電子写真感光体ドラムと同軸線上に設けられた第一の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記装置本体に設けられた第一の本体側位置決め部に位置決めされる前記第一の被位置決め部と、
１１）前記長手方向の他端であって前記第一の枠体に、前記電子写真感光体ドラムと同軸線上に設けられた第二の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記装置本体に設けられた第二の本体側位置決め部に位置決めされる前記第二の被位置決め部と、
１２）前記プロセスカートリッジが前記装置本体に装着された状態で、前記装置本体から前記帯電ローラへ供給する帯電バイアスを受けるカートリッジ側帯電バイアス電気接点であって、前記他端側の端面から露出して設けられたカートリッジ側帯電バイアス電気接点と、
１３）前記プロセスカートリッジが前記装置本体に装着された状態で、前記装置本体から前記現像ローラへ供給する現像バイアスを受けるカートリッジ側現像バイアス電気接点であって、前記他端側の端面から露出して設けられたカートリッジ側現像バイアス電気接点と、
１４）前記第一の被位置決め部が前記第一の本体側位置決め部に位置決めされた状態で、及び、前記第二の被位置決め部が前記第二の本体側位置決め部に位置決めされた状態で、前記長手方向の他端であって前記第一の枠体の上面に設けられた第一の被押圧部であって、前記プロセスカートリッジを前記他端側に付勢して、前記プロセスカートリッジの他端側を前記装置本体に対して位置決めするために、前記装置本体に設けられた第一の本体側弾性部材の弾性力を斜め上方から受ける第一の被押圧部と、
を有することを特徴とする。
【手続補正９】
【補正対象書類名】明細書
【補正対象項目名】００１５
【補正方法】変更
【補正の内容】
【００１５】
（２）上記の目的を達成するための本発明に係る電子写真画像形成装置の代表的な構成は、
プロセスカートリッジを取り外し可能に装着して、記録媒体に画像を形成する電子写真画像形成装置において、
１）前記プロセスカートリッジを複数個支持した状態で、前記電子写真画像形成装置の装置本体の内側と外側との間を直線的に移動可能な移動部材と、
２）第一の本体側位置決め部と、
３）第二の本体側位置決め部と、
４）第一の本体側弾性部材と、
５）転写ベルトと、
６）本体側帯電バイアス電気接点と、
７）本体側現像バイアス電気接点と、
８）電子写真感光体ドラムと、
前記電子写真感光体ドラムを帯電する帯電ローラと、
前記電子写真感光体ドラムと前記帯電ローラを支持する第一の枠体と、
前記電子写真感光体ドラムに形成された静電潜像を、現像剤を用いて現像する現像ローラと、
前記現像ローラを支持する第二の枠体であって、前記第一の枠体と回動可能に結合されている第二の枠体と、
前記プロセスカートリッジが前記装置本体に装着された状態で、前記装置本体から前記電子写真感光体ドラムを回転するための駆動力を受ける、前記電子写真感光体ドラムの長手方向の一端側に設けられたドラム駆動力受け部と、
前記プロセスカートリッジが前記装置本体に装着された状態で、前記装置本体から前記現像ローラを前記電子写真感光体ドラムと同じ方向へ回転するための駆動力を受ける、前記長手方向の一端側であって前記第二の枠体に設けられた現像ローラ駆動力受け部と、
前記長手方向の一端側であって前記第一の枠体に設けられた第一の被支持部であって、前記プロセスカートリッジを前記移動部材に支持するために前記移動部材に支持される第一の被支持部と、
前記長手方向の他端側であって前記第一の枠体に設けられた第二の被支持部であって、前記プロセスカートリッジを前記移動部材に前記第一の被支持部と協働して支持するために前記移動部材に支持される第二の被支持部と、
前記長手方向の一端であって前記第一の枠体に、前記電子写真感光体ドラムと同軸線上に設けられた第一の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記一の本体側位置決め部に位置決めされる前記第一の被位置決め部と、
前記長手方向の他端であって前記第一の枠体に、前記電子写真感光体ドラムと同軸線上に設けられた第二の被位置決め部であって、前記電子写真感光体ドラムを前記転写ベルトに接触させて前記電子写真感光体ドラムから前記転写ベルトへの現像剤像の転写を可能な状態にするために前記移動部材が前記転写ベルトに向かって下降する際に前記移動部材の下降の途中で、前記第二の本体側位置決め部に位置決めされる前記第二の被位置決め部と、
前記第一の被位置決め部が前記第一の本体側位置決め部に位置決めされた状態で、及び、前記第二の被位置決め部が前記第二の本体側位置決め部に位置決めされた状態で、前記長手方向の他端であって前記第一の枠体の上面に設けられた第一の被押圧部であって、前記プロセスカートリッジを前記他端側に付勢して、前記プロセスカートリッジの他端側を前記装置本体に対して位置決めするために、前記第一の本体側弾性部材の弾性力を斜め上方から受ける第一の被押圧部と、
を有するプロセスカートリッジと、
を有することを特徴とする。
【手続補正１０】
【補正対象書類名】明細書
【補正対象項目名】００８９
【補正方法】変更
【補正の内容】
【００８９】
各カートリッジＰＹ・ＰＭ・ＰＣ・ＰＫは、対応するカートリッジ収容空間２９（１）〜２９（４）内に上から落とし込んで挿入される。カートリッジを挿入していくと、駆動側と非駆動側の回転止め部３６Ｒ・３６Ｌが、それぞれ、トレイ２９側の係合部２９ｈと２９ｉに係合していく。即ち、止め部３６Ｒが係合部２９ｈに嵌り込んでいく。また、止め部３６Ｌが、係合部２９ｉに嵌り込んでいく（図１５）。さらにカートリッジがトレイ２９の小枠部に収まるように下方へ移動すると、被支持部３７Ｒの下面がトレイ２９の枠部２９ｄの上面に受け止められる。また、被支持部３Ｌの下面がトレイ２９の枠部２９ｅの上面に受け止められる（図１５）。これにより、カートリッジがトレイ２９に乗って支持された状態になる。すなわち、トレイ２９は、各カートリッジを真上に取り出し可能に支持しており、各カートリッジを真下に向かって移動させることによって支持する。また、カートリッジ側の第１〜第３の入力電気接点３９〜４１と、トレイ２９側の中間電気接点４３〜４５の内側接触部（ａ）とが接触してそれぞれ電気的に接続した状態になる。トレイ２９は装置本体内に移動されて、各カートリッジが潜像形成位置に装着された状態においては、トレイ２９側の中間電気接点４３〜４５の外側接触部（ｂ）が装置本体側の出力電気接点に接触して電気的に接続した状態になる。すなわち、各カートリッジの第１〜第３の入力電気接点３９〜４１に対して装置本体側の給電系統がトレイ２９側の中間電気接点４３〜４５を介して導通化する。中間電気接点４３〜４５は装置本体側の出力電気接点から受けたバイアスをカイートリッジ側に供給する。
【手続補正１１】
【補正対象書類名】明細書
【補正対象項目名】００９３
【補正方法】変更
【補正の内容】
【００９３】
カートリッジ側において、第１の入力電気接点４１は左側板３２Ｌの外面に設けている。また、第１の入力電気接点４１は現像容器６ｅの非駆動側の側面に設けている。そして、電気接点４１は、左側板３２Ｌに設けた窓穴部３２ａから外部に露呈している。
【手続補正１２】
【補正対象書類名】明細書
【補正対象項目名】０１２０
【補正方法】変更
【補正の内容】
【０１２０】
本実施例においては、非駆動側と駆動側の本体側位置決め部７１Ｌと７１Ｒは、それぞれ、装置本体1Ａ内の右側と左側に対向させて固設している。位置決め部７１Ｌと７１Ｒは、ステー部材７０Ｌと７０Ｒに長手方向に沿って設けられた略Ｖ字形状を有するＶ字溝である。このＶ字溝に被支持部３８Ｌ・３８Ｒの下向き円弧部が嵌り込んでカートリッジの位置決めがなされる。すなわち、被支持部３８Ｌ・３８Ｒは、ドラム軸線を中心軸とした下向きの円弧形状である。そして、前記円弧形状の一部である２箇所の円弧面と、本体側位置決め部７１Ｌ・７１Ｒに設けられた略Ｖ字形状を有する２つの斜面が各々係合する。
【手続補正１３】
【補正対象書類名】明細書
【補正対象項目名】０１２２
【補正方法】変更
【補正の内容】
【０１２２】
本実施例においては、トレイ保持部材２８Ｌが一体的に長手位置決め部６０を有しているが、左フレーム１００Ｌに一体的に設けられたものでも良い。
【手続補正１４】
【補正対象書類名】明細書
【補正対象項目名】０１２４
【補正方法】変更
【補正の内容】
【０１２４】
即ち、本実施例によれば、保持部材２８Ｌ・２８Ｒは、ドア３の閉じ動作に連動するリンク３０によって、水平方向に移動して開口２６を通過して装置本体内へ進入する。そして、ストッパーＳ１が装置本体1Ａに設けられた固定部（不図示）に接触すると、保持部材２８Ｌ・２８Ｒは、降下する。そして、トレイ２９も降下して、トレイ２９に設けられた係合部２９ｙが本体1Ａに設けられた係止部５０に係止することによって、トレイ２９は本体１Ａに位置決めされる（図２、図５）。
【手続補正１５】
【補正対象書類名】明細書
【補正対象項目名】０１４４
【補正方法】変更
【補正の内容】
【０１４４】
図２５及び図２６は非駆動側における押圧構成の第二の実施例を示した図である。図２５は第二の押圧構成を示す斜視図である。図２６は、構成は異なるが図２１におけるＡ−Ａ断面と同じ部位を示した断面図であり、第二の押圧構成を示す断面図である。
【手続補正１６】
【補正対象書類名】明細書
【補正対象項目名】０１５１
【補正方法】変更
【補正の内容】
【０１５１】
また、カートリッジの長手方向の他端側（非駆動側）において、枠体上面に設けられた被押圧部９０に、装置本体１Ａに設けられた弾性部材８０s（本体側弾性部材）が押圧を行い、枠体が斜め上方からの押圧力を受ける。枠体３１に発生する押圧力はカートリッジをトレイ２９内で長手方向の他端側（非駆動側）に寄せる力と、被位置決め部３８Ｒ、３８Ｌを本体側位置決め部７１Ｒ、７１Ｌに付勢させる力の合力である。カートリッジを装置本体1Ａに装着した状態で、感光体ドラム４の長手方向及び半径方向において、カートリッジを装置本体1Ａに精度良く位置決めすることができる。また同時に、感光体ドラム４の長手方向において、入力帯電バイアス電気接点（カートリッジ側帯電バイアス電気接点）３９と入力現像バイアス電気接点（カートリッジ側現像バイアス電気接点）４０を有する他端側（非駆動側）にカートリッジを付勢させる。これにより、各入力電気接点の出力電気接点（出力側帯電バイアス電気接点、出力側現像バイアス電気接点）との電気的接続を確実に行うことができる。これにより、装置本体内での画像形成時におけるカートリッジの位置決めが安定し、画質の向上を図ることができる。